(57)【要約】【課題】  ごく普通の印刷技術とシール基材を用いて小ロット生産でも安価に製造できるくじ付シールを提供する。【解決手段】  剥離台紙３からシール基材１を剥離し（矢示マル１）、くじ片８を折り目９の位置で隠蔽部６側に重ねて折りたたむ（矢示マル２）。隠蔽部６とくじ片８の粘着剤同士が重なって隠蔽部６の裏面は非粘着状態となる。くじ付シールを弁当１０に両端の貼付部５によって貼付ける（矢示マル３）。弁当１０の購入客が、隠蔽部６ごとくじ片８を切取線７で切り取ると、くじ片８の内容を見ることができる（矢示マル４）。切り取られたくじ片８は、裏面がベトつかず、取り扱いが容易である。【選択図】        図４
2005186432.tif 000002
【特許請求の範囲】
【請求項１】
両端が貼付部、中間が隠蔽部、前記各部の境目が切取線となり、前記各部は裏面に粘着剤を介して剥離台紙上に仮着された一連のシール基材からなるくじ付シールにおいて、前記隠蔽部から該隠蔽部と合同なくじ片が一方向に突出すると共に、前記隠蔽部とくじ片の境目が折り目に形成されたことを特徴とするくじ付シール。
【発明の詳細な説明】
【技術分野】
【０００１】
本発明は、例えば商品などに添付するくじ付シールであって、商品の購入客が当たりをひくと、おまけや景品、金券や割引券などの特典を獲得できるルールを設けて販売促進に用いるもの、占いやおみくじ、お知らせ等の秘密情報を提供するものに関する。
【背景技術】
【０００２】
従来、商品にくじ付シールを添付して販売促進を図ることは周知である。
このような目的に使用されるくじ付シールとしては、多層シールや両面印刷シール（シールの表面のみならず、裏面に「くじ」等を印刷したシール）がよく知られている。
【０００３】
しかし、これらのシールは特種なシール基材や加工技術を用いるため、小ロットの生産では単価が高くなり、気軽に使用することができなかった。
【０００４】
また、裏面にくじを印刷した両面印刷シールでは、裏面に粘着剤が付着したままであるため、当たりくじの取り扱いが不便であるという問題があった。
【特許文献１】特開平０９−１１４３７９号公報
【発明の開示】
【発明が解決しようとする課題】
【０００５】
本発明は、上記課題を解決するためになされたものであり、ごく普通の印刷技術とシール基材を用いて小ロット生産でも安価に製造できるくじ付シールを提供することを目的としている。
【課題を解決するための手段】
【０００６】
上記課題を解決するために本発明が採用する構成は、両端が貼付部、中間が隠蔽部、前記各部の境目が切取線となり、前記各部は裏面に粘着剤を介して剥離台紙上に仮着された一連のシール基材からなるくじ付シールにおいて、前記隠蔽部から該隠蔽部と合同なくじ片が一方向に突出すると共に、前記隠蔽部とくじ片の境目が折り目に形成されたことを特徴とする。
【０００７】
上記構成によれば、剥離台紙から剥離したシール基材のくじ片を、隠蔽部側に重ね合わせて折りたたむと、隠蔽部とくじ片同士の粘着剤が重なって接着されるので、隠蔽部の裏面は糊無し状態となり、両端の貼付部によって商品に貼付け添付できる。
【０００８】
このとき、くじ片表面の表示は隠蔽部とくじ片自身の基材の背後に隠れるので、表からは見えず、隠蔽部ごとくじ片を切取線で切り取ることによりはじめてくじ片の内容を見ることができる。
【０００９】
そして、切り取られたくじ片は、粘着剤が隠蔽部により覆われているので、ベトつかず取り扱いが容易である。
【発明の効果】
【００１０】
本発明のくじ付シールは、シール基材も加工技術も既存のごくありふれた手法の組み合わせにより、小ロットでも安価に生産でき、気軽に使用できる。
【００１１】
よって、零細企業においても適宜に販売促進手段として採用できる。
【発明を実施するための最良の形態】
【００１２】
以下、本発明の実施の形態を図示例と共に説明する。
図１ないし図４は発明を実施する形態の一例であって、図１はくじ付シール（はずれ）の正面図、図２は図１の矢示II−II線に沿った断面図、図３は図１と同様の（当りくじの）正面図、図４はくじ付シールの使用方法の説明図である。
【００１３】
図中、１はくじ付シールの主要部を構成するシール基材であり、該シール基材１は裏面に粘着剤２が塗布され、該粘着剤２を介して剥離台紙３上に仮着（剥離可能に接着）されている。４はシール基材１の裏面に設けられた黒顔料や金属粉などを主体としたインキからなる隠蔽層であり、該隠蔽層４はシール基材１が薄手な場合や強い光線に曝された場合でも裏面側のくじ片８（後述）の記録情報が表から見られない為に設けられている。なお、該隠蔽層４は前記粘着剤２の中に顔料等を混入して形成してもよく、また、シール基材１が十分不透明な場合や、隠蔽部６（後述）の表面の印刷が十分濃い場合など、必ずしも設けなくてもよい。
【００１４】
５，５はシール基材１の両端部分に形成された貼付部、６は各貼付部５の中間に形成された隠蔽部であり、これら各貼付部５と隠蔽部６の境目にはミシン目からなる切取線７が形成されている。前記貼付部５および隠蔽部６には、隠蔽部６の裏（下）側にくじが隠れていること、切取線７で切り取ることによってそれを見られる旨の情報が記載されている。
【００１５】
８は隠蔽部６から一方向に突出したくじ片であり、該くじ片８は前記隠蔽部６と合同な形状で、境目がミシン目からなる折り目９に形成されている。
【００１６】
本形態のくじ付シールは以上の如きもので、次にその使用方法について、図４を用いて説明する。
【００１７】
まず、図４中の矢示マル１の如く、剥離台紙３からシール基材１を剥離し、次に矢示マル２の如く、くじ片８を、折り目９の位置で隠蔽部６側に重ね合わせて折りたたむ。すると、隠蔽部６とくじ片８の粘着剤同士が重なって接着されるので、隠蔽部６の裏面は非粘着状態となる。
【００１８】
次に、くじ付シールを矢示マル３の如く商品（例では弁当）１０に、両端の貼付部５によって貼付け添付する。
【００１９】
このとき、くじ片８表面の表示「はずれ」は、隠蔽部６とくじ片８自体のシール基材の背後に隠れるので、これに隠蔽層４の作用も加わって表側からは見ることができなくなる。
【００２０】
そして、商品１０の購入客が、隠蔽部６ごとくじ片８を切取線７で切り取ることによりはじめてくじ片８の内容「はずれ」を見ることができる。切り取られたくじ片８は、裏面の粘着剤２が隠蔽部６により内側に覆い隠されるので、ベトつかず取り扱いが容易である。
【００２１】
なお、図３は「当り」くじ付シールの一例である。くじ片８には有効期限の記入欄１１が設けられており、使用の都度ここに手書き、スタンプ印、プリンタなどで可変情報を記入できる。
【００２２】
以上説明したように、上記形態のくじ付シールは、シール基材１も加工技術も既存のごくありふれた手法の組み合わせにより、小ロット生産でも安い単価で生産できる。
【００２３】
従って、持ち帰り弁当店の如き零細企業においても気軽に採用でき、販売促進の有効な手段となる。
【００２４】
なお、以上述べた実施形態は例示であって、この形態に限定するものではなく、特許請求の範囲に記載した発明の要旨内で種々の変更が可能である。くじの内容も割引購入券に限らず、おみくじ、占い、クイズと答えなど種々の変更が可能である。
【図面の簡単な説明】
【００２５】
【図１】本発明の実施の形態に係るくじ付シール（はずれ）の正面図。
【図２】図１中の矢示II-II方向に沿った断面図。
【図３】図１と同様のくじ付シール（当り）の正面図。
【図４】図１のくじ付シールの使用方法の説明図。
【符号の説明】
【００２６】
１…シール基材、２…粘着剤、３…剥離台紙、４…隠蔽層、５…貼付部、６…隠蔽部、７…切取線、８…くじ片、９…折り目、１０…商品（弁当）、１１…記入欄
【図１】
2005186432.tif 000003
【図２】
2005186432.tif 000004
【図３】
2005186432.tif 000005
【図４】
2005186432.tif 000006